(57)【要約】【課題】撮像部と画像表示部とを有する撮像装置において、撮影した類似画像を詳細に見比べることことができるようにする。【解決手段】撮像部１４と画像表示部２８とを有する撮像装置において、撮影した複数の画像を並べて画像表示部に表示し、画像選択部７０により選択された複数の画像を１つの操作で同時に拡大したり、スクロールしたりすることで複数画像の詳細比較を容易にする。また比較が終わった一枚の画像を次の画像に置き換える際に、拡大率と表示位置を保持したまま次の画像を表示することで、次の類似画像の拡大などの操作を不要とする。【選択図】      図１
2006005640.tif 000002
【特許請求の範囲】
【請求項１】
被写体像を撮像する撮像手段と、
該撮像手段から得られた画像信号を表示する画像表示手段と、
該画像表示手段に表示された特定の複数の画像のうち、選択された所定数の画像に対して、少なくとも画像の拡大処理又は画像の移動処理を含む複数の処理の中から選択された処理を同時に行なう表示制御手段と、
を具備することを特徴とする撮像装置。
【請求項２】
前記表示制御手段は、前記撮像手段による撮像動作の直後に、該撮像手段により撮像された画像を前記画像表示手段に表示させるレックレビュー動作を行なう機能を有し、該レックレビュー動作を継続する指示を受けた場合に、前記特定の複数の画像を自動的に前記画像表示手段に表示させることを特徴とする請求項１に記載の撮像装置。
【請求項３】
前記特定の複数の画像とは、ブラケット撮影時において連続して撮影された複数の画像、連写撮影時において連続して撮影された複数の画像、最初の撮影時から予め設定された時間内に撮影された複数の画像のうちのいずれかであることを特徴とする請求項１に記載の撮像装置。
【請求項４】
前記表示制御手段は、前記特定の複数の画像を前記表示手段に表示させるとともに、少なくとも画面中の輝度分布を示すヒストグラム、白飛び範囲のいずれか又は双方を前記表示手段に表示させることを特徴とする請求項１に記載の撮像装置。
【請求項５】
前記表示制御手段は、前記特定の複数の画像の位置を入れ替える指示を受けた場合に、前記特定の複数の画像の位置を入れ替えて前記表示手段に表示させることを特徴とする請求項１に記載の撮像装置。
【請求項６】
前記特定の複数の画像のうちの選択された画像を削除する削除手段を更に具備することを特徴とする請求項１に記載の撮像装置。
【請求項７】
前記特定の複数の画像のうちの選択された画像以外の画像を削除する削除手段を更に具備することを特徴とする請求項１に記載の撮像装置。
【請求項８】
前記特定の複数の画像のうちの選択された画像をプロテクトするプロテクト手段を更に具備することを特徴とする請求項１に記載の撮像装置。
【請求項９】
前記特定の複数の画像のうちの選択された画像を外部のプリンタにプリントさせるプリント手段を更に具備することを特徴とする請求項１に記載の撮像装置。
【請求項１０】
前記表示制御手段は、前記表示手段に表示されている複数の画像に連続する次画像の表示の指示を受けた場合に、前記表示手段に既に表示されている複数の画像の拡大倍率及び画像位置を保持したまま、前記次画像を前記表示手段に表示させることを特徴とする請求項１に記載の撮像装置。
【請求項１１】
被写体像を撮像する撮像手段と、該撮像手段から得られた画像信号を表示する画像表示手段とを備える撮像装置を制御する方法であって、
前記画像表示手段に特定の複数の画像を表示させる表示工程と、
該表示工程で表示された特定の複数の画像のうち、選択された所定数の画像に対して、少なくとも画像の拡大処理又は画像の移動処理を含む複数の処理の中から選択された処理を同時に行なう表示制御工程と、
を具備することを特徴とする撮像装置の制御方法。
【請求項１２】
請求項１１に記載の制御方法をコンピュータに実行させることを特徴とするプログラム。
【請求項１３】
請求項１２に記載のプログラムをコンピュータ読み取り可能に記憶したことを特徴とする記憶媒体。
【発明の詳細な説明】
【技術分野】
【０００１】
本発明は、撮像装置における画像表示技術に関するものである。
【背景技術】
【０００２】
デジタルカメラには、画像再生装置として主にＬＣＤディスプレイが備えられており、撮影した画像をすぐに確認することができる利便性がある。撮影した画像を1枚ずつ表示して、各画像に対し拡大などの操作が可能であり、ヒストグラムなどの情報を同時に表示することができる。またごく小さなサムネイルをマルチ表示し、所望の画像を見つけることもできる。
【０００３】
しかし、例えばブラケット撮影を行って最もよい画像を選ぶなど、複数の画像を詳細まで比較することは困難であった。その原因の一つは、従来のこの種の画像再生装置はかなり小型で、マルチ画像表示してそれぞれの画像を比較するなどの利用には堪えられなかったことである。近年では画像再生装置として比較的大型のＬＣＤディスプレイがデジタルカメラに用いられるようになるとともに、マルチ画像表示の有用性が高まっている。
【０００４】
従来のマルチ画像表示の一例として、一連の画像データのうち、前後に続く複数の画像データを１画面上に同時に表示してスライドさせることができるものが知られている（特許文献１参照）。この手法を用いれば、前後して撮影した画像を並べて見ることができ、大まかに比較することが可能であり、多数の画像の中から所望の画像を選び出すことが容易である。しかしこの手法を用いても、類似画像を詳細に比較することは容易ではなかった。
【０００５】
他に、撮影した画像データを撮影日時に基づいてグループ分けし、グループ毎にマルチ画像表示できるものが知られている（特許文献２参照）。この手法を用いれば、多数の画像を整理したり、その中から所望の画像を選び出すことが容易になるが、類似画像の比較に関する優位性はない。この他にもマルチ画像表示を特徴とする文献は多数見られるが、類似画像を詳細に比較可能とする技術を開示したものはない。
【特許文献１】特開平９−９７２６８号公報
【特許文献２】特開２００３−２９９０２８号公報
【発明の開示】
【発明が解決しようとする課題】
【０００６】
デジタルカメラで、例えばブラケット撮影や連写撮影を行った後に、撮影画像を詳細に見比べたいという要求がある。しかし従来のデジタルカメラにおける画像表示方式では複数の画像を拡大したり、拡大画面の表示位置を動かしながら比較することは困難であった。
【０００７】
従って、本発明は上述した課題に鑑みてなされたものであり、その目的は、撮像部と画像表示部とを有する撮像装置において、撮影した類似画像を詳細に見比べることことができるようにすることである。
【課題を解決するための手段】
【０００８】
上述した課題を解決し、目的を達成するために、本発明に係わる撮像装置は、被写体像を撮像する撮像手段と、該撮像手段から得られた画像信号を表示する画像表示手段と、該画像表示手段に表示された特定の複数の画像のうち、選択された所定数の画像に対して、少なくとも画像の拡大処理又は画像の移動処理を含む複数の処理の中から選択された処理を同時に行なう表示制御手段と、を具備することを特徴とする。
【０００９】
また、この発明に係わる撮像装置において、前記表示制御手段は、前記撮像手段による撮像動作の直後に、該撮像手段により撮像された画像を前記画像表示手段に表示させるレックレビュー動作を行なう機能を有し、該レックレビュー動作を継続する指示を受けた場合に、前記特定の複数の画像を自動的に前記画像表示手段に表示させることを特徴とする。
【００１０】
また、この発明に係わる撮像装置において、前記特定の複数の画像とは、ブラケット撮影時において連続して撮影された複数の画像、連写撮影時において連続して撮影された複数の画像、最初の撮影時から予め設定された時間内に撮影された複数の画像のうちのいずれかであることを特徴とする。
【００１１】
また、この発明に係わる撮像装置において、前記表示制御手段は、前記特定の複数の画像を前記表示手段に表示させるとともに、少なくとも画面中の輝度分布を示すヒストグラム、白飛び範囲のいずれか又は双方を前記表示手段に表示させることを特徴とする。
【００１２】
また、この発明に係わる撮像装置において、前記表示制御手段は、前記特定の複数の画像の位置を入れ替える指示を受けた場合に、前記特定の複数の画像の位置を入れ替えて前記表示手段に表示させることを特徴とする。
【００１３】
また、この発明に係わる撮像装置において、前記特定の複数の画像のうちの選択された画像を削除する削除手段を更に具備することを特徴とする。
【００１４】
また、この発明に係わる撮像装置において、前記特定の複数の画像のうちの選択された画像以外の画像を削除する削除手段を更に具備することを特徴とする。
【００１５】
また、この発明に係わる撮像装置において、前記特定の複数の画像のうちの選択された画像をプロテクトするプロテクト手段を更に具備することを特徴とする。
【００１６】
また、この発明に係わる撮像装置において、前記特定の複数の画像のうちの選択された画像を外部のプリンタにプリントさせるプリント手段を更に具備することを特徴とする。
【００１７】
また、この発明に係わる撮像装置において、前記表示制御手段は、前記表示手段に表示されている複数の画像に連続する次画像の表示の指示を受けた場合に、前記表示手段に既に表示されている複数の画像の拡大倍率及び画像位置を保持したまま、前記次画像を前記表示手段に表示させることを特徴とする。
【００１８】
また、本発明に係わる撮像装置の制御方法は、被写体像を撮像する撮像手段と、該撮像手段から得られた画像信号を表示する画像表示手段とを備える撮像装置を制御する方法であって、前記画像表示手段に特定の複数の画像を表示させる表示工程と、該表示工程で表示された特定の複数の画像のうち、選択された所定数の画像に対して、少なくとも画像の拡大処理又は画像の移動処理を含む複数の処理の中から選択された処理を同時に行なう表示制御工程と、を具備することを特徴とする。
【００１９】
また、本発明に係わるプログラムは、上記の制御方法をコンピュータに実行させることを特徴とする。
【００２０】
また、本発明に係わる記憶媒体は、上記のプログラムをコンピュータ読み取り可能に記憶したことを特徴とする。
【発明の効果】
【００２１】
本発明によれば、撮像部と画像表示部とを有する撮像装置において、撮影した類似画像を詳細に見比べることことが可能となる。
【発明を実施するための最良の形態】
【００２２】
以下、本発明の好適な一実施形態について、図面を参照して詳細に説明する。
【００２３】
図１は、本発明の実施形態に係る撮像装置（本実施形態ではデジタルカメラ）の概略構成を示すブロック図である。
【００２４】
図１において、１００は画像処理装置である。１０は撮影レンズ、１２は絞り機能を備えるシャッター、１４は光学像を電気信号に変換する撮像素子、１２０は撮像素子１４のアナログ信号出力を増幅してカメラの感度を設定するゲインアンプ、１６は撮像素子１４のアナログ信号出力をデジタル信号に変換するＡ／Ｄ変換器である。
【００２５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。また、撮像した画像データを用いて所定の演算処理を行ない、得られた演算結果に基づいてシステム制御回路５０が露光制御部４０、測距制御部４２に対して制御を行なう、ＴＴＬ（スルー・ザ・レンズ）方式のＡＦ（オートフォーカス）処理、ＡＥ（自動露出）処理、ＥＦ（フラッシュプリ発光）処理を行っている。
【００２６】
さらに、画像処理回路２０においては、撮像した画像データを用いて所定の演算処理を行ない、得られた演算結果に基づいてＴＴＬ方式のＡＷＢ（オートホワイトバランス）処理も行っている。
【００２７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２８】
また、システム制御回路５０は露出演算部１２２、輝度レベル演算部１２３、補正ゲイン演算部１２４を含み、露出演算部１２２はメモリ制御回路２２を介してＴＴＬによって測光された輝度レベルを基に適正露出値を演算し露光制御部４０を制御する。輝度レベル演算部１２３はメモリ制御回路２２を介して撮像した画像データから輝度レベルを演算し、補正ゲイン演算部１２４は露出演算部１２２によって測光された輝度レベルと輝度レベル演算部１２３によって演算された輝度レベルを比較し、適正レベルとなるように補正値を演算して画像処理回路２０によりデジタルゲイン補正を加える。
【００２９】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００３０】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。なお、システム制御回路５０は画像表示制御手段としても機能し、画像表示部２８の表示状態も制御する。３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００３１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッター１２を制御する露光制御部であり、フラッシュ４８と連携することによりフラッシュの調光機能も有するものである。
【００３２】
４２は撮影レンズ１０のフォーカシングを制御する測距制御部、４４は撮影レンズ１０のズーミングを制御するズーム制御部である。
【００３３】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。５０は画像処理装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００３５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３６】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばＥＥＰＲＯＭ等が用いられる。
【００３７】
６２、６４、６６、６８及び７０は、システム制御回路５０の各種の動作指示を入力するための操作部であり、スイッチやダイアル、タッチパネル、視線検知によるポインティング、音声認識装置等の単数或いは複数の組み合わせで構成される。ここで、これらの操作部の具体的な説明を行う。
【００３８】
６２はシャッタースイッチＳＷ１で、シャッタースイッチ６３の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ２で、シャッタースイッチ６３の操作完了でＯＮとなり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３９】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００４０】
６８はレックレビューＯＮ／ＯＦＦスイッチで、撮影直後に撮影した画像データを自動再生するレックレビュー（クイックレビュー）機能を設定する。なお、本実施形態では特に、画像表示部２８をＯＦＦとした場合におけるレックレビュー機能の設定をする機能を備えるものとする。また、１２１は計時部で、シャッタースイッチＳＷ１（６２）が押されてからシャッタースイッチＳＷ２（６４）が押されるまでの時間を計測することが可能である。
【００４１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等がある。
【００４２】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００４４】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００４５】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。
【００４６】
さらに、インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４７】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００４８】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により画像処理装置１００を他の機器と接続するコネクタ或いは無線通信の場合はアンテナである。
【００４９】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００５０】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００５１】
以下に、再生モードにおける本実施形態の特徴的な構成について詳細に説明する。
【００５２】
まず、通常の再生モード時における１画像表示状態を図２に示す。ここで、複数表示指示操作を行うと複数表示状態となる。複数表示状態となった表示装置のイメージを図３に示す。この複数表示指示操作は画像処理装置１００の操作部７０に備えられたある特定のボタンを押下あるいは長押しする操作でもよいし、画像表示部２８のメニュー画面から選択する方法でもよい。
【００５３】
また、ここでは説明を簡単にするために２画像表示の場合を示すが２画像に限定するものではなく、表示画像数を選択できるようにしてもよい。
【００５４】
また、表示部中の下方に、操作対象画像選択のための指示表示を示しているが、操作対象画像選択部をトグルに限定するものではない。例えば十字ボタンで指定してセットボタンで選択／解除してもよく、タッチパネルを備えたシステムであればタッチパネルで選択してもよい。
【００５５】
ここでは一例としてセットボタントグルによる操作対象画像選択を行うが、セットボタンを一度押すと図４に示すように選択画像が切り替わって１画像選択状態となり、この状態では全ての画像操作（拡大、移動など）が、選択された画像に対してのみ行われる。もう一度セットボタンを押すと、今度は図５に示す様にもう一方の画像が選択される。この状態も１画像選択状態である。さらにもう一度セットボタンを押すと、二画像選択状態となる。この複数画像選択状態において、拡大、表示位置移動操作を行ったとき、図６に示すように選択された複数画像が同時に操作される（選択された複数画像全てが同時に拡大、表示位置移動操作される）。拡大した状態で再び１画像選択状態にし、次の画像を表示する操作を行うと、拡大倍率および表示位置が保持されたまま次の画像が表示される。言い換えると、次の画像に対しても既に表示中の画像に対する拡大倍率及び表示位置の設定が適用される。
【００５６】
１画像選択状態で拡大、表示位置移動を行った後に、再度複数画像選択状態にして拡大操作、表示位置移動操作等を行なう場合において、選択された複数画像それぞれの拡大倍率と表示位置が異なっている場合は、各複数画像の操作直前の状態に対して、同時に拡大操作、表示位置移動操作等が加えられる。例えば、１画像選択状態で既に等倍と２倍に拡大されている２画像を、複数画像選択して同時に２倍拡大する操作を行った場合、２倍と４倍の画像となる。拡大や移動の限界に達した場合は操作は反映されない。縦画像と横画像が同時に表示される場合は、縦画像は縦になり、操作に関しては横画像と同様である。拡大、表示位置を保持したまま次の画像が表示される際に縦、横が異なる場合は、座標からほぼ同位置を拡大した画像が表示される。
【００５７】
操作部７０に配置された操作ボタンまたはメニューからの選択操作である画像位置入れ替え指示により、システム制御回路５０は、選択中の２つの画像の位置を相互に入れ替えることが可能である。また、操作部７０に配置された操作ボタンまたはメニューからの選択操作である指示により、表示中の各画像のヒストグラムと白飛び範囲を表示することが可能である。
【００５８】
システム制御回路５０は、表示中の複数画像のうちで、選択された１つもしくは複数の画像を同時に削除することが可能である。この操作に関して、逆に選択されていない１つもしくは複数の画像を同時に削除することが可能であってもよい。同様の操作により、表示中の複数画像のうちで、選択された１つもしくは複数の画像を同時にプロテクトすることが可能である。また同様に、表示中の複数画像のうちで、選択された１つもしくは複数の画像をプリント対象画像に指定し、デジタルカメラに接続した外部出力装置によるダイレクトプリントを行うことが可能である。
【００５９】
本実施形態で示した画像表示手法、表示画像操作手法は、デジタルカメラの画像再生モードにおいてのみならず、レックレビューホールド時のマルチ表示指示においても実行される。レックレビューとは、撮影直後に撮影した画像データを画像表示部２８に一定時間自動表示する機能であり、通常は、撮影直後に画像表示メモリ２４又はメモリ３０に記憶された画像を読み出して画像表示部２８に表示する。そして、レックレビューホールドとは、レックレビューの表示期間内に操作部７０に配置されたレビューホールド指示ボタンを押すことにより、レビューホールド解除ボタンを押すまでの間レックレビュー表示状態が保持される機能である。
【００６０】
本実施形態は、画像表示部２８に複数の類似画像を表示し、それらを同時に拡大、移動等して、それらを比較可能とするものであるが、レックレビューホールド時に表示される比較対象である複数画像は、ブラケット撮影におけるブラケット画像、連写撮影における連写画像全て、標準撮影における指定時間内に撮影された画像のいずれかである。それぞれの画像群は、全てが同時にマルチ表示（複数画像表示）されてもよく、予め指定されていた枚数ずつマルチ表示されてもよい。
【００６１】
図７は、このレックレビューホールド時に、複数画像を同時表示する動作を示すフローチャートである。
【００６２】
まず、撮影を行なうと（ステップＳ７０１）、その直後に、撮影した画像データを画像表示部２８に表示するレックレビュー表示が行なわれる（ステップＳ７０２）。レックレビュー表示が行なわれている間にレックレビューホールドが指示されているか否かが判断され（ステップＳ７０３）、レックレビューホールドが指示されていない場合には、所定時間経過後レックレビュー表示を終了する（ステップＳ７０７）。ステップＳ７０３においてレックレビューホールドが指示されている場合には、レックレビュー表示をそのまま継続すると共に、複数画像表示が指示されているか否かを判断する（ステップＳ７０４）。ステップＳ７０４において複数画像表示が指示されていない場合には、ステップＳ７０６でレックレビューホールドの指示が解除されるまで待ち、解除されるとレックレビュー表示を終了する。ステップＳ７０４において複数画像表示が指示されている場合には、ステップＳ７０５に進み複数画像を表示する。その後、必要に応じてユーザが上記の実施形態で説明したような画像の拡大操作、画像移動操作などを行なって画像の確認を行ない、レックレビューホールドの指示が解除された後（ステップＳ７０６Ｙｅｓ）に、レックレビュー表示を終了する（ステップＳ７０７）。
【００６３】
また、予めレックレビューホールドのときに、複数画像を表示するモード（マルチ表示モード）を指定しておくことで、レックレビューホールド時に自動的に上記画像群がマルチ表示される。図８は、このときの動作を示すフローチャートである。
【００６４】
まず、撮影を行なうと（ステップＳ８０１）、その直後に、撮影した画像データを画像表示部２８に表示するレックレビュー表示が行なわれる（ステップＳ８０２）。レックレビュー表示が行なわれている間にレックレビューホールドが指示されているか否かが判断され（ステップＳ８０３）、レックレビューホールドが指示されていない場合には、所定時間経過後レックレビュー表示を終了する（ステップＳ８０６）。ステップＳ８０３においてレックレビューホールドが指示されている場合には、レックレビュー表示をそのまま継続すると共に、複数画像の表示を行なう（ステップＳ８０４）。その後、必要に応じてユーザが上記の実施形態で説明したような画像の拡大操作、画像移動操作などを行なって画像の確認を行ない、レックレビューホールドの指示が解除された後（ステップＳ８０５Ｙｅｓ）に、レックレビュー表示を終了する（ステップＳ８０７）。
【００６５】
なお、上記で説明した本実施形態の動作は、システム制御回路５０が、メモリ制御回路２２、画像表示メモリ２４、メモリ３０等を制御することにより行なわれる。
【００６６】
以上説明したように、上記の実施形態によれば、ほぼ同様の構図の画像の詳細な比較を、デジタルカメラで撮影後にその場で容易に行うことができる。
【００６７】
また、複数の画像についてズームアップや表示位置の移動を、一つの操作で同時に実行できるため、操作効率がよい。
【００６８】
また、詳細比較を画像再生時だけでなく、撮影直後のレックレビュー時にもできるので、不要画像の削除などの処理も行なうことができ、記録メディアが有効に使える上、後の画像整理の負担も軽減される。
【００６９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７１】
本発明を上記記憶媒体に適用する場合、その記憶媒体には、先に説明した手順に対応するプログラムコードが格納されることになる。
【図面の簡単な説明】
【００７２】
【図１】本発明の一実施形態に係る撮像装置の概略構成を示すブロック図である。
【図２】１画像表示状態の画面を示す図である。
【図３】マルチ画像表示（２画像表示）状態において複数画像を選択した状態を示す図である。
【図４】マルチ画像表示（２画像表示）状態において左側の１画像を選択した状態を示す図である。
【図５】マルチ画像表示（２画像表示）状態において右側の１画像を選択した状態を示す図である。
【図６】マルチ画像表示（２画像表示）状態において複数画像を同時に操作（拡大）した状態を示す図である。
【図７】レックレビューホールド時の動作を示すフローチャートである。
【図８】レックレビューホールド時の動作を示すフローチャートである。
【符号の説明】
【００７３】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４８  フラッシュ
５０  システム制御回路
５２  メモリ
５４  表示部
５６  不揮発性メモリ
６０  モードダイアルスイッチ
６２  シャッタースイッチＳＷ１
６３  シャッタースイッチ
６４  シャッタースイッチＳＷ２
６６  画像表示ＯＮ／ＯＦＦスイッチ
６８  レックレビューＯＮ／ＯＦＦスイッチ
７０  操作部
８０  電源制御部
８２  コネクタ
８４  コネクタ
８６  電源部
９０  インタフェース
９２  コネクタ
９４  インタフェース
９６  コネクタ
９８  記録媒体着脱検知部
１００  画像処理装置
１０４  光学ファインダ
１１０  通信部
１１２  コネクタ（またはアンテナ）
１２０  ゲインアンプ
１２１  計時部
１２２  露出演算部
１２３  輝度レベル演算部
１２４  補正ゲイン演算部
２００  記録媒体
２０２  記録部
２０４  インタフェース
２０６  コネクタ
２１０  記録媒体
２１２  記録部
２１４  インタフェース
２１６  コネクタ
【図１】
2006005640.tif 000003
【図２】
2006005640.tif 000004
【図３】
2006005640.tif 000005
【図４】
2006005640.tif 000006
【図５】
2006005640.tif 000007
【図６】
2006005640.tif 000008
【図７】
2006005640.tif 000009
【図８】
2006005640.tif 000010